(57)【要約】      （修正有）【課題】無線ＬＡＮアクセスポイントの設定情報が、工場出荷後ユーザーにより変更されている場合に、無線ＬＡＮ設定を行うための設定条件の変更等の煩雑な操作を、装置に高額な費用を掛けることなく軽減する。【解決手段】第１の無線接続の設定情報が格納され、自装置の外部に表示された媒体と、第１、第２の無線接続の設定情報を保存するメモリ手段と、第１設定情報が設定された携帯情報端末と無線接続を行う際、自身に設定された第２設定情報をメモリ手段に退避し、メモリ手段から第１設定情報を自身に設定し、携帯情報端末と第１の無線接続を行い、メモリ手段から第２設定情報を携帯情報端末に送出し、第２の設定情報を自身に設定する無線認証手段とを備える。【選択図】図７
2014179884.tif 000002
【特許請求の範囲】
【請求項１】
自装置の第１の無線接続の設定情報が格納され、自装置の外部に表示された媒体と、
自装置の第１、第２の無線接続の設定情報を保存するメモリ手段と、
前記第１の設定情報が設定された携帯情報端末と無線接続を行う際、自身に設定されている前記第２の設定情報を前記メモリ手段に退避し、前記メモリ手段から前記第１の設定情報を自身に設定し、前記携帯情報端末と前記第１の設定情報にもとづいて前記第１の無線接続を行い、前記メモリ手段から前記第２の設定情報を前記携帯情報端末に送出し、前記メモリ手段から前記第２の設定情報を自身に設定する無線認証手段と
を備えることを特徴とする無線ＬＡＮアクセスポイント装置。
【請求項２】
前記第１および第２の無線接続は無線ＬＡＮ（Local Area Network）接続であることを特徴とする請求項１に記載の無線ＬＡＮアクセスポイント装置。
【請求項３】
前記第１の無線接続はＢｌｕｅｔｏｏｔｈ無線接続であり、前記第２の無線接続は無線ＬＡＮ接続であることを特徴とする請求項１に記載の無線ＬＡＮアクセスポイント装置。
【請求項４】
前記媒体はＱＲ（Quick Response）コードであることを特徴とする請求項１、２または３に記載の無線ＬＡＮアクセスポイント装置。
【請求項５】
自装置の第１の無線接続の設定情報を自装置の外部に媒体にて表示する工程と、
前記第１の設定情報が設定された携帯情報端末と無線接続を行う際、設定されている第２の設定情報を退避し、前記第１の設定情報を設定し、前記携帯情報端末と前記第１の設定情報にもとづいて前記第１の無線接続を行い、前記第２の設定情報を前記携帯情報端末に送出し、前記第２の設定情報を設定する無線認証工程と
を備えることを特徴とする無線ＬＡＮ接続方法。
【請求項６】
前記第１および第２の無線接続は無線ＬＡＮ接続であることを特徴とする請求項５に記載の無線ＬＡＮ接続方法。
【請求項７】
前記第１の無線接続はＢｌｕｅｔｏｏｔｈ無線接続であり、前記第２の無線接続は無線ＬＡＮ接続であることを特徴とする請求項５に記載の無線ＬＡＮ接続方法。
【請求項８】
前記媒体はＱＲコードであることを特徴とする請求項５、６または７に記載の無線ＬＡＮ接続方法。
【発明の詳細な説明】
【技術分野】
【０００１】
本発明は、無線ＬＡＮアクセスポイント装置および接続方法に関する。
【背景技術】
【０００２】
無線ＬＡＮ（Local Area Network）アクセスポイント装置と無線ＬＡＮ子機機能を備えた携帯情報端末との通信が行われることがある。その無線ＬＡＮ通信を行うために無線ＬＡＮアクセスポイントのＳＳＩＤ（Service Set Identifier）や暗号化方式、パスフレーズ、ＷＥＰ（Wired Equivalent Privacy）キーなどの設定情報を携帯情報端末に入力する必要がある。ＳＳＩＤ、パスフレーズ、ＷＥＰキーはランダムな英数字や記号で構成されていることが多く、ゲーム機やスマートフォンなど比較的低機能な入力デバイスしか備えていない機器にこれらの情報を入力する操作は非常に煩雑である。
【０００３】
このような煩雑な操作を軽減するため、無線ＬＡＮアクセスポイント装置の工場出荷の際に設定情報が格納され、装置本体やその梱包箱に添付されているＱＲコード（登録商標）を携帯情報端末に備えられたＱＲコードリーダーで読み取って無線ＬＡＮ設定することがある。なお、ＱＲとはQuick Responseの略称である。しかし、無線ＬＡＮアクセスポイントの設定情報は、工場出荷後、ユーザーにより変更されていることがあり、その場合、工場出荷時に作成されたＱＲを利用する無線ＬＡＮ設定は行えない。
【０００４】
その場合に対する無線ＬＡＮ設定方法として、特許文献１に開示されているようなものがある。すなわち、無線ＬＡＮアクセスポイント装置は、設定情報を生成し、生成した設定情報を２次元コードに符号化し、２次元コードを画面に表示する。一方、情報端末は、無線ＬＡＮアクセスポイント装置の画面に表示されている２次元コードを撮像し、２次元コードを復号することにより、無線ＬＡＮ設定する。
【先行技術文献】
【特許文献】
【０００５】
【特許文献１】特開２００６−２６１９３８号公報
【発明の概要】
【発明が解決しようとする課題】
【０００６】
特許文献１に開示されている装置は、設定情報の生成・符号化・表示機能を備えており、一般の無線ＬＡＮアクセスポイント装置と比較してその機能に関する分だけ設計、製造、保守などの費用が高額になる。すなわち、無線ＬＡＮアクセスポイントの設定情報が、工場出荷後、ユーザーにより変更されている場合、煩雑な入力等の操作が軽減される無線ＬＡＮ設定を行うには、装置に高額な費用を掛けなければならないという課題がある。
【０００７】
また、通常、携帯情報端末などの無線ＬＡＮ子機は、無線ＬＡＮアクセスポイント装置と無線ＬＡＮ通信を行った後、無線ＬＡＮ通信を行うために設定された設定情報を保持している。これにより、無線ＬＡＮ子機は無線ＬＡＮアクセスポイント装置より自身に設定されている設定情報と一致するビーコンを受信すると自動でその無線ＬＡＮアクセスポイント装置と無線ＬＡＮ接続を行うことができる。しかしながら、無線ＬＡＮアクセスポイント装置に設定されている設定情報を変更すると、前にその無線ＬＡＮアクセスポイント装置と無線ＬＡＮ通信を行った無線ＬＡＮ子機が自動でその無線ＬＡＮアクセスポイント装置と再接続することができなくなってしまう。このため、特許文献１に開示されている無線ＬＡＮ設定などにより設定情報を変更して無線ＬＡＮ通信を行う場合には、その無線ＬＡＮ通信後、設定情報を元に戻す必要があり、そのための、設定情報を入力するなどの操作が煩雑であるという課題もある。
【０００８】
本発明の目的は、これらの課題を解決した無線ＬＡＮアクセスポイント装置および接続方法を提供することである。
【課題を解決するための手段】
【０００９】
本発明の無線ＬＡＮアクセスポイント装置は、自装置の第１の無線接続の設定情報が格納され、自装置の外部に表示された媒体と、自装置の第１、第２の無線接続の設定情報を保存するメモリ手段と、前記第１の設定情報が設定された携帯情報端末と無線接続を行う際、自身に設定されている前記第２の設定情報を前記メモリ手段に退避し、前記メモリ手段から前記第１の設定情報を自身に設定し、前記携帯情報端末と前記第１の設定情報にもとづいて前記第１の無線接続を行い、前記メモリ手段から前記第２の設定情報を前記携帯情報端末に送出し、前記メモリ手段から前記第２の設定情報を自身に設定する無線認証手段とを備えることを特徴とする。
【００１０】
本発明の無線ＬＡＮ接続方法は、自装置の第１の無線接続の設定情報を自装置の外部に媒体にて表示する工程と、前記第１の設定情報が設定された携帯情報端末と無線接続を行う際、設定されている第２の設定情報を退避し、前記第１の設定情報を設定し、前記携帯情報端末と前記第１の設定情報にもとづいて前記第１の無線接続を行い、前記第２の設定情報を前記携帯情報端末に送出し、前記第２の設定情報を設定する無線認証工程とを備えることを特徴とする。
【発明の効果】
【００１１】
本発明によれば、無線ＬＡＮアクセスポイントの設定情報が、工場出荷後、ユーザーにより変更されている場合でも、装置に高額な費用を掛けずに、煩雑な入力等の操作が軽減される無線ＬＡＮ設定を行うことが可能となる。また、無線ＬＡＮアクセスポイント装置に設定されている設定情報を変更せずに無線ＬＡＮ通信を行うことが可能となり、設定情報を元に戻すための操作などが不要となる。
【図面の簡単な説明】
【００１２】
【図１】本発明の第１の実施の形態における無線ＬＡＮルータおよび携帯情報端末を含むシステムの構成例を示す図である。
【図２】本発明の第１の実施の形態における無線ＬＡＮルータの構成を示す図である。
【図３】本発明の第１の実施の形態におけるＱＲコードを用いた無線ＬＡＮアクセスポイント設定の動作シーケンスを示す図である。
【図４】本発明の第２の実施の形態における無線ＬＡＮルータおよび携帯情報端末を含むシステムの構成例を示す図である。
【図５】本発明の第２の実施の形態における無線ＬＡＮルータの構成を示す図である。
【図６】本発明の第２の実施の形態におけるＱＲコードを用いた無線ＬＡＮアクセスポイント設定の動作シーケンスを示す図である。
【図７】本発明の第３の実施の形態における無線ＬＡＮアクセスポイント装置の構成を示す図である。
【発明を実施するための形態】
【００１３】
本発明の第１の実施の形態について、図面を参照して説明する。
【００１４】
まず、本実施の形態の構成について、図１、図２を参照して説明する。
【００１５】
図１は本実施の形態における無線ＬＡＮルータおよび携帯情報端末を含むシステムの構成例を示す。本システムは、無線ＬＡＮルータ１１０、携帯情報端末１２０、インターネット１３０、ＱＲコード１４０、梱包箱１５０を含む。
【００１６】
無線ＬＡＮルータ１１０は、無線ＬＡＮアクセスポイント機能を備えており、無線ＬＡＮを介して携帯情報端末１２０と接続され、また、インターネット１３０と接続されている。
【００１７】
携帯情報端末１２０は、無線ＬＡＮ子機機能、カメラ機能およびＱＲコードリーダーを備えており、ユーザーの操作に応じ、ＨＴＭＬ（Hyper TextMarkup Language）や画像などのファイルの提供を行うサービスプログラムが動作する装置である。また、携帯情報端末１２０は、無線ＬＡＮを介して無線ＬＡＮルータ１１０と接続されている。携帯情報端末１２０には、上記の機能を備えたスマートフォンや携帯電話、ＰＣ（Personal Computer）などのいずれかを用いることが可能である。
【００１８】
ＱＲコード１４０は、無線ＬＡＮルータ１１０の無線ＬＡＮアクセスポイント設定情報（ＳＳＩＤ、暗号化方式、パスフレーズ、ＷＥＰキーなど）が格納された２次元バーコードである。ＱＲコード１４０には、無線ＬＡＮルータ１１０の出荷時に当該装置の無線ＬＡＮアクセスポイント設定情報が格納されている。
【００１９】
梱包箱１５０は、無線ＬＡＮルータ１１０の梱包箱であり、ＱＲコード１４０に格納されている無線ＬＡＮアクセスポイント設定情報と同じものが格納されたＱＲコード１５１が添付されている。
【００２０】
図２は本実施の形態における無線ＬＡＮルータの構成を示す。無線ＬＡＮルータ１１０は、ＣＰＵ（Central Processing Unit）１１１、バス１１２、ＲＯＭ（Read Only Memory）１１３、ＲＡＭ（Random Access Memory）１１４、不揮発メモリ１１５、無線認証部１１６、無線送受信部１１７を有する。
【００２１】
ＣＰＵ１１１は、バス１１２を介して無線ＬＡＮルータ１１０の各部と接続している。
【００２２】
ＲＯＭ１１３は、ＣＰＵ１１１にて実行される各種の制御用プログラムを格納している。
【００２３】
ＲＡＭ１１４は、作業用メモリで、ＣＰＵ１１１のプログラム実行に一時的に必要となるデータを保持する。
【００２４】
不揮発メモリ１１５は、無線ＬＡＮルータ１１０の出荷時の無線ＬＡＮアクセスポイント設定情報、およびユーザーにより変更された無線ＬＡＮアクセスポイント設定情報を保存している。
【００２５】
無線認証部１１６は、携帯情報端末１２０との間で送受信されるデータを不揮発メモリ１１５に格納されている暗号化方式、パスフレーズ、ＷＥＰキーにもとづいて暗号化、復号化する。
【００２６】
無線送受信部１１７は、ＬＡＮへのインタフェースで、無線ＬＡＮにより携帯情報端末１２０とデータの送受信を行う。
【００２７】
次に、本実施の形態の動作について、図３を参照して説明する。
【００２８】
図３は本実施の形態におけるＱＲコードを利用した無線ＬＡＮアクセスポイント設定の動作シーケンスを示す。
【００２９】
まず、ユーザーにより携帯情報端末１２０のカメラおよびＱＲコードリーダーで無線ＬＡＮルータ１１０または梱包箱１５０に添付されているＱＲコード１４０または１５１が読み取られる（Ａ１１）。また、ユーザーにより無線ＬＡＮルータ１１０に備えられたボタンの押下などの設定開始操作が行われる（Ａ１２）。その設定開始操作により、ＣＰＵ１１１は無線認証部１１６に設定されている無線ＬＡＮアクセスポイント設定情報（ユーザーにより出荷時のものから変更されている変更版）をＲＡＭ１１４に保存する（Ａ１３）。次に、ＣＰＵ１１１は不揮発メモリ１１５から出荷時の無線ＬＡＮアクセスポイント設定情報を読み出し、無線認証部１１６に設定する（Ａ１４）。一方、携帯情報端末１２０はＱＲコード１４０または１５１を読み取って得た無線ＬＡＮアクセスポイント設定情報にもとづいて無線ＬＡＮルータ１１０との無線ＬＡＮ接続を一旦確立する（Ａ１５）。これにより、ＣＰＵ１１１は、ＲＡＭ１１４に保存されており、ユーザーにより出荷時のものから変更されている無線ＬＡＮアクセスポイント設定情報を無線送受信部１１７から携帯情報端末１２０へ送信する（Ａ１６）。携帯情報端末１２０は受信した無線ＬＡＮアクセスポイント設定情報を保存・設定する（Ａ１７）。その後、携帯情報端末１２０は無線ＬＡＮルータ１１０との無線ＬＡＮ接続を切断する（Ａ１８）。ＣＰＵ１１１はＲＡＭ１１４に保存されている無線ＬＡＮアクセスポイント設定情報（変更版）を読み出し、無線認証部１１６に再設定する（Ａ１９）。
【００３０】
以上のように、出荷時の無線ＬＡＮアクセスポイントの設定情報が格納されているＱＲコードを利用して、ユーザーにより出荷時のものから変更され、無線ＬＡＮルータ１１０に設定されている無線ＬＡＮアクセスポイント設定情報を携帯情報端末１２０に保存する。これにより、ユーザーにより出荷時のものから変更された無線ＬＡＮアクセスポイント設定情報にもとづいて無線ＬＡＮルータ１１０と携帯情報端末１２０との無線ＬＡＮ接続を確立することが可能となる。このように、無線ＬＡＮアクセスポイントの設定情報が、工場出荷後、ユーザーにより変更されている場合でも、装置に高額な費用を掛けずに、煩雑な入力等の操作が軽減される無線ＬＡＮ設定を行うことが可能となる。また、無線ＬＡＮアクセスポイント装置に設定されている設定情報を変更せずに無線ＬＡＮ通信を行うことが可能となり、設定情報を元に戻すための操作などが不要となる。
【００３１】
次に、本発明の第２の実施の形態について、図面を参照して説明する。
【００３２】
本実施の形態は、Ｂｌｕｅｔｏｏｔｈ（登録商標）無線接続のデバイス名、認証・暗証化設定、パスキーなどの設定情報が格納されているＱＲコードを利用して、無線ＬＡＮルータと携帯情報端末との無線ＬＡＮ接続を確立するためのものである。
【００３３】
まず、本実施の形態の構成について、図４、図５を参照して説明する。
【００３４】
図４は本実施の形態における無線ＬＡＮルータおよび携帯情報端末を含むシステムの構成例を示す。本システムは、無線ＬＡＮルータ２１０、携帯情報端末２２０、インターネット２３０、ＱＲコード２４０、梱包箱２５０を含む。
【００３５】
無線ＬＡＮルータ２１０は、無線ＬＡＮアクセスポイント機能、Ｂｌｕｅｔｏｏｔｈ無線機能を備えており、無線ＬＡＮを介して携帯情報端末２２０と接続され、また、インターネット２３０と接続されている。
【００３６】
携帯情報端末２２０は、無線ＬＡＮ子機機能、Ｂｌｕｅｔｏｏｔｈ無線機能、カメラ機能およびＱＲコードリーダーを備えており、ユーザーの操作に応じ、ＨＴＭＬや画像などのファイルの提供を行うサービスプログラムが動作する装置である。また、携帯情報端末２２０は、無線ＬＡＮを介して無線ＬＡＮルータ２１０と接続されている。携帯情報端末２２０には、上記の機能を備えたスマートフォンや携帯電話、ＰＣなどのいずれかを用いることが可能である。
【００３７】
ＱＲコード２４０は、無線ＬＡＮルータ２１０のＢｌｕｅｔｏｏｔｈ無線設定情報（デバイス名、認証・暗証化設定、パスキーなど）が格納された２次元バーコードである。ＱＲコード２４０には、無線ＬＡＮルータ２１０の出荷時に当該装置のＢｌｕｅｔｏｏｔｈ無線設定情報が格納されている。
【００３８】
梱包箱２５０は、無線ＬＡＮルータ２１０の梱包箱であり、ＱＲコード２４０に格納されているＢｌｕｅｔｏｏｔｈ無線設定情報と同じものが格納されたＱＲコード２５１が添付されている。
【００３９】
図５は本実施の形態における無線ＬＡＮルータの構成を示す。無線ＬＡＮルータ２１０は、ＣＰＵ２１１、バス２１２、ＲＯＭ２１３、ＲＡＭ２１４、不揮発メモリ２１５、無線認証部２１６、Ｗｉ−Ｆｉ（Wireless Fidelity）無線送受信部２１７、Ｂｌｕｅｔｏｏｔｈ無線送受信部２１８を有する。
【００４０】
ＣＰＵ２１１は、バス２１２を介して無線ＬＡＮルータ２１０の各部と接続している。
【００４１】
ＲＯＭ２１３は、ＣＰＵ２１１にて実行される各種の制御用プログラムを格納している。
【００４２】
ＲＡＭ２１４は、作業用メモリで、ＣＰＵ２１１のプログラム実行に一時的に必要となるデータを保持する。
【００４３】
不揮発メモリ２１５は、無線ＬＡＮルータ２１０の出荷時の無線ＬＡＮアクセスポイント設定情報、およびユーザーにより変更された無線ＬＡＮアクセスポイント設定情報を保存している。また、不揮発メモリ２１５は、無線ＬＡＮルータ２１０の出荷時のＢｌｕｅｔｏｏｔｈ無線設定情報を保存している。
【００４４】
無線認証部２１６は、携帯情報端末２２０との間で送受信されるデータを不揮発メモリ２１５に格納されている暗号化方式、パスフレーズ、ＷＥＰキーにもとづいて暗号化、復号化する。
【００４５】
Ｗｉ−Ｆｉ無線送受信部２１７は、ＬＡＮへのインタフェースで、無線ＬＡＮにより携帯情報端末２２０とデータの送受信を行う。
【００４６】
Ｂｌｕｅｔｏｏｔｈ無線送受信部２１８は、Ｂｌｕｅｔｏｏｔｈ無線により携帯情報端末２２０と無線ＬＡＮアクセスポイント設定情報の送受信を行う。
【００４７】
次に、本実施の形態の動作について、図６を参照して説明する。
【００４８】
図６は本実施の形態におけるＱＲコードを利用した無線ＬＡＮアクセスポイント設定の動作シーケンスを示す。
【００４９】
まず、ユーザーにより携帯情報端末２２０のカメラおよびＱＲコードリーダーで無線ＬＡＮルータ２１０または梱包箱２５０に添付されているＱＲコード２４０または２５１が読み取られる（Ａ２１）。また、ユーザーにより無線ＬＡＮルータ２１０に備えられたボタンの押下などの設定開始操作が行われる（Ａ２２）。その設定開始操作により、ＣＰＵ２１１は不揮発メモリ２１５からＢｌｕｅｔｏｏｔｈ無線設定情報を読み出し、Ｂｌｕｅｔｏｏｔｈ無線送受信部２１８に設定する（Ａ２３）。次に、ＣＰＵ２１１はＢｌｕｅｔｏｏｔｈ無線送受信部２１８のＢｌｕｅｔｏｏｔｈ無線機能を起動する（Ａ２４）。一方、携帯情報端末２２０はＱＲコード２４０または２５１を読み取って得たＢｌｕｅｔｏｏｔｈ無線設定情報にもとづいて無線ＬＡＮルータ２１０とのＢｌｕｅｔｏｏｔｈ無線接続（ペアリング）を一旦確立する（Ａ２５）。これにより、ＣＰＵ２１１は無線認証部２１６に設定されている無線ＬＡＮアクセスポイント設定情報を無線送受信部２１７から携帯情報端末２２０へ送信する（Ａ２６）。携帯情報端末２２０は受信した無線ＬＡＮアクセスポイント設定情報を保存・設定する（Ａ２７）。その後、携帯情報端末２２０は無線ＬＡＮルータ２１０とのＢｌｕｅｔｏｏｔｈ無線接続を切断する（Ａ２８）。
【００５０】
以上のように、Ｂｌｕｅｔｏｏｔｈ無線設定情報が格納されているＱＲコードを利用して、無線ＬＡＮルータ２１０に設定されている無線ＬＡＮアクセスポイント設定情報を携帯情報端末２２０に保存する。これにより、無線ＬＡＮアクセスポイント設定情報にもとづいて無線ＬＡＮルータ２１０と携帯情報端末２２０との無線ＬＡＮ接続を確立することが可能となる。このように、無線ＬＡＮアクセスポイントの設定情報が、工場出荷後、ユーザーにより変更されている場合でも、装置に高額な費用を掛けずに、煩雑な入力等の操作が軽減される無線ＬＡＮ設定を行うことが可能となる。また、無線ＬＡＮアクセスポイント装置に設定されている設定情報を変更せずに無線ＬＡＮ通信を行うことが可能となり、設定情報を元に戻すための操作などが不要となる。
【００５１】
次に、本発明の第３の実施の形態について、図面を参照して説明する。
【００５２】
まず、本実施の形態の構成について、図７を参照して説明する。
【００５３】
図７は本実施の形態における無線ＬＡＮアクセスポイント装置の構成を示す。無線ＬＡＮアクセスポイント装置３００は、媒体３０１、メモリ部３０２、無線認証部３０３で構成される。ここでは媒体３０１はＱＲコードであるとする。
【００５４】
媒体３０１には、無線ＬＡＮアクセスポイント装置３００の第１（出荷時）の無線接続の設定情報（ＳＳＩＤ、暗号化方式、パスフレーズ、ＷＥＰキーなど）が格納されている。媒体３０１は、無線ＬＡＮアクセスポイント装置３００に添付されている。
【００５５】
メモリ部３０２は、第１、第２の無線接続の設定情報を保存している。
【００５６】
無線認証部３０３は、無線接続の設定情報が設定され、設定情報にもとづいて携帯情報端末と無線接続を行う。
【００５７】
次に、本実施の形態の動作について説明する。
【００５８】
まず、ユーザーにより無線ＬＡＮアクセスポイント装置３００に備えられたボタンの押下などの設定開始操作が行われる。その設定開始操作により、無線ＬＡＮアクセスポイント装置３００は、無線認証部３０３に設定されている第２の無線接続の設定情報をメモリ部３０２に退避、保存する。次に、無線ＬＡＮアクセスポイント装置３００は、メモリ部３０２から第１の無線接続の設定情報を読み出し、無線認証部３０３に設定する。一方、無線ＬＡＮアクセスポイント装置３００と接続させる携帯情報端末は媒体３０１を読み取るなどして得た第１の無線接続の設定情報にもとづいて無線ＬＡＮアクセスポイント装置３００との無線ＬＡＮ接続を一旦確立する。これにより、無線ＬＡＮアクセスポイント装置３００は、メモリ部３０２に保存されている第２の無線接続の設定情報を無線認証部３０３から携帯情報端末１２０へ送信する。携帯情報端末は受信した第２の無線接続の設定情報を保存・設定する。その後、携帯情報端末は無線ＬＡＮアクセスポイント３００との無線ＬＡＮ接続を切断する。無線ＬＡＮアクセスポイント装置３００は、メモリ部３０２に保存されている第２の無線接続の設定情報を読み出し、無線認証部３０３に再設定する。
【００５９】
以上のように、出荷時の無線ＬＡＮアクセスポイントの設定情報を利用して、ユーザーにより出荷時のものから変更され、無線ＬＡＮアクセスポイント装置３００に設定されている無線ＬＡＮアクセスポイント設定情報を携帯情報端末に保存する。これにより、ユーザーにより出荷時のものから変更された無線ＬＡＮアクセスポイント設定情報にもとづいて無線ＬＡＮアクセスポイント装置３００と携帯情報端末１２０との無線ＬＡＮ接続を確立することが可能となる。このように、無線ＬＡＮアクセスポイントの設定情報が、工場出荷後、ユーザーにより変更されている場合でも、装置に高額な費用を掛けずに、煩雑な入力等の操作が軽減される無線ＬＡＮ設定を行うことが可能となる。また、無線ＬＡＮアクセスポイント装置に設定されている設定情報を変更せずに無線ＬＡＮ通信を行うことが可能となり、設定情報を元に戻すための操作などが不要となる。
【産業上の利用可能性】
【００６０】
本発明は、無線ＬＡＮアクセスポイント装置および接続方法に利用可能である。
【符号の説明】
【００６１】
１１０、２１０    無線ＬＡＮルータ
１１１、２１１    ＣＰＵ
１１２、２１２    バス
１１３、２１３    ＲＯＭ
１１４、２１４    ＲＡＭ
１１５、２１５    不揮発メモリ
１１６、２１６    無線認証部
１１７    無線送受信部
１２０、２２０    携帯情報端末
１３０、２３０    インターネット
１４０、１５１、２４０、２５１    ＱＲコード
１５０、２５０    梱包箱
２１７    Ｗｉ−Ｆｉ無線送受信部
２１８    Ｂｌｕｅｔｏｏｔｈ無線送受信部
３００    無線ＬＡＮアクセスポイント装置
３０１    媒体
３０２    メモリ部
３０３    無線認証部
Ａ１１    ＱＲコード読取り
Ａ１２    設定開始
Ａ１３    設定情報保存
Ａ１４    ＱＲ設定情報設定
Ａ１５    無線ＬＡＮ接続確立
Ａ１６    設定情報送信
Ａ１７    設定情報保存・設定
Ａ１８    無線ＬＡＮ接続切断
Ａ１９    設定情報再設定
Ａ２１    ＱＲコード読取り
Ａ２２    設定開始
Ａ２３    Ｂｌｕｅｔｏｏｔｈ無線設定情報設定
Ａ２４    Ｂｌｕｅｔｏｏｔｈ無線機能起動
Ａ２５    Ｂｌｕｅｔｏｏｔｈ無線接続確立
Ａ２６    設定情報送信
Ａ２７    設定情報保存・設定
Ａ２８    Ｂｌｕｅｔｏｏｔｈ無線接続切断
【図１】
2014179884.tif 000003
【図２】
2014179884.tif 000004
【図３】
2014179884.tif 000005
【図４】
2014179884.tif 000006
【図５】
2014179884.tif 000007
【図６】
2014179884.tif 000008
【図７】
2014179884.tif 000009